(57)【要約】  長い時間にわたって使用することができ、且つ脚が軽くなるような感覚を奏するような機能を備えた靴下を提供することを目的とする。  脚の長手方向（Ｘ）において少なくとも足首部分（ｐ）からふくらはぎ部分にわたって外被するべく編糸で編成された靴下（Ａ）であって、前記ふくらはぎ部分に当接する編成領域（２０）の少なくとも一部を、外方から内方へ向けて押圧する着圧力が前記ふくらはぎ部分から脚の前方部位へリング状に延びる他の編成領域（Ａ２）に比べて大きくなった、高着圧領域（Ａ１）で構成した。
2017115796.tif 000002
【特許請求の範囲】
【請求項１】
脚の長手方向において少なくとも足首部分からふくらはぎ部分にわたって外被するべく、編糸で編成された靴下であって、  前記ふくらはぎ部分に当接する編成領域の少なくとも一部を、外方から内方へ向けて押圧する着圧力が前記ふくらはぎ部分から脚の前方部位へリング状に延びる他の編成領域に比べて大きくなった、高着圧領域で構成したことを特徴とする靴下。
【請求項２】
前記高着圧領域が、ふくらはぎ部分を周方向に通過する当該ふくらはぎ部分に当接する編成領域のうちの後端部位を除くその両側の部分であることを特徴とする請求項１記載の靴下。
【請求項３】
前記高着圧領域が、ふくらはぎ部分を周方向に通過する当該ふくらはぎ部分の後端部位に当接する部分であることを特徴とする請求項１記載の靴下。
【請求項４】
前記高着圧領域が、前記ふくらはぎ部分を周方向に通過する当該通過部分全体の６０パーセント〜１００パーセントの領域を占めていることを特徴とする請求項１記載の靴下。
【請求項５】
前記高着圧領域が、１５ヘクトパスカル〜３０ヘクトパスカルの着圧力であり、前記他の編成領域が、３ヘクトパスカル〜７ヘクトパスカル低い着圧力であることを特徴とする請求項１〜請求項４のいずれか１の項に記載の靴下。
【請求項６】
脚の長手方向において少なくとも足首部分からふくらはぎ部分にわたって外被するべく編糸で編成された靴下であって、  前記ふくらはぎ部分に当接する靴下の編成領域のうちの、当該ふくらはぎ部分の後部あるいは側部のうちの少なくともいずれかの部分を、外方から内方へ向けて押圧する着圧力が、前記ふくらはぎ部分から脚の前方部位へリング状に延びる他の編成領域に比べて大きくなった、高着圧領域で構成したことを特徴とする靴下。
【請求項７】
前記高着圧領域が、（ｉ）前記他の編成領域の度目より度目の大きさを小さくした当該高着圧領域、（ｉｉ）タック編みで編成された、当該高着圧領域、（ｉｉｉ）弾性糸が挿入された当該高着圧領域、のいずれか１によって又は２以上の組み合わせによって形成された、請求項１〜６のいずれか１の項に記載の靴下。
【発明の詳細な説明】
【技術分野】
【０００１】  この発明は、靴下に関し、詳しくは、靴下の脚部のふくらはぎ部分にのみ着圧領域を形成した靴下に関する。  なお、この明細書および特許請求の範囲において「靴下」という文言は、ソックス及びストッキングやそれらの足部の無いサポータ状の形態のものも含む広い概念で使用する。
【背景技術】
【０００２】  従来から、下脚部（ふくらはぎ部分及びその前方部）に着圧領域を形成した靴下が提供されている（特許文献１参照）。  また、下脚部に高締付力を有する帯状のリング状部分と低締付力を有する帯状のリング状部分とを交互に上下方向に配列して、運動の際にふくらはぎ部分の筋肉が変形することを利用して前記靴下の構成に起因する機能によって、脚部の血液の循環を促進しようとする、靴下が提供されている（特許文献２参照）。【０００３】  従来の、ふくらはぎ部分に特徴を有する靴下にかかる先行技術として、特許文献１および特許文献２に記載されているものがある。
【先行技術文献】
【特許文献】
【０００４】
【特許文献１】特開平１１−７０１４０号公報
【特許文献２】特開平１１−１３１３０３号公報
【発明の概要】
【発明が解決しようとする課題】
【０００５】  ところが、前記特許文献１および特許文献２に記載するような構成の靴下、つまり下脚部に当該脚部を周回するようにリング状に着圧領域を形成した靴下の場合、所定時間内で使用する場合には、脚が軽くなったような感覚を奏するが、長時間使用すると、下脚部の血行を阻害して、疲労を惹起したり、当該下脚部に「むくみ」を生じさせたりする。  このため、ジョギングやハイキング等のように長い時間にわたって使用する靴下としては、不都合なものであった。【０００６】  本発明は、このような状況に鑑みておこなわれたもので、ジョギングやハイキング等のように長い時間にわたって使用することができ、且つ脚が軽くなるような感覚を奏するような機能を備えた靴下を提供することを目的とする。
【課題を解決するための手段】
【０００７】  本第１の発明にかかる靴下は、脚の長手方向において少なくとも足首部分からふくらはぎ部分にわたって外被するべく、編糸で編成された靴下であって、前記ふくらはぎ部分に当接する編成領域の少なくとも一部を、外方から内方へ向けて押圧する着圧力が前記ふくらはぎ部分から脚の前方部位へリング状に延びる他の編成領域に比べて大きくなった、高着圧領域で構成したことを特徴とする。  なお、この明細書および特許請求の範囲において、「高着圧領域」とは、当該「高着圧領域」以外の領域（前記「その他の編成領域」）に比べて着圧力が相対的に大きいという意味で両者を区別するために使用しており、必ずしも着圧力の絶対値が高い領域という意味で使用しているものではない。【０００８】  前述のように構成された本第１の発明にかかる靴下によれば、当該靴下を履くと、ふくらはぎ部分の少なくとも一部が外方から内方へ向けて高着圧領域によって押圧されて、前記ふくらはぎ部分にある腓腹筋やひらめ筋が外方から押圧される。このため、歩行したときに屈伸する筋力が脚の長手方向に効果的に作用する。  つまり、筋力の作用する方向（収縮方向）が分散することがない。  このため、疲労が少なくなり、脚が軽くなったような感覚が従来のものに比べて増加するとともに筋力が有効に利用される。しかも、脚部の前記高着圧領域で構成した部位以外は無用に押圧されないため、脚部の血行が阻害されることはない。この結果、本第１の発明にかかる靴下を長時間履いても、前記特許文献１，２に記載の従来の靴下に比べて疲労が生じ難く且つ脚部に「むくみ」が格段に生じ難い。また、前述のようにふくらはぎ部分の少なくとも一部が高着圧領域で形成されて、外方から押圧されているため、当該押圧されている方向と直交する方向から見ると外観的にスリムに見せることができる。  このことは、脚の外観を重視する女性にとって、好ましい。【０００９】  前記靴下において、前記高着圧領域が、ふくらはぎ部分を周方向に通過する当該ふくらはぎ部分に当接する編成領域のうちの後端部位を除くその両側の部分であると、ふくらはぎ部分の前記後端部位においても血行が阻害されることがない。  このため、さらに疲労を生じ難くなり、且つ、脚部に「むくみ」がさらに生じ難い、靴下を実現することができる。  このような構成において、脚のふくらはぎ部分の内側の高着圧領域の着圧力と同じく外側の高着圧領域の着圧力に差を設けることによって、運動の種類に「より合致した」構成の靴下を提供することができる。また、このように構成すると、ふくらはぎ部分の側部を高着圧領域で外方（側方）から押圧されているため、脚部を前方又は後方から見ると、スリムに見せることができる靴下となる。【００１０】  前記靴下において、前記高着圧領域が、ふくらはぎ部分を周方向に通過する当該ふくらはぎ部分の後端部位に当接する部分であると、当該後端部位以外の部位において血行が阻害されることがないため、さらに疲労の生じ難い且つ下脚部に「むくみ」が生じ難い靴下を実現することができる。また、このように構成すると、ふくらはぎ部分の後端部位を高着圧領域で外方（側方）から押圧されているため、脚部を側方から見ると、外観的にスリムに見せることができる���【００１１】  前記靴下において、前記高着圧領域が、前記ふくらはぎ部分を周方向に通過する当該通過部分全体の６０パーセント〜１００パーセントの領域を占めているものであると、前記作用効果がより顕著に得られる靴下となる。  しかも、前記高着圧領域以外では血行が阻害されることがないため、従来の靴下に比べると疲労が生じ難い且つむくみが生じ難い靴下となる。【００１２】前記靴下において、前記高着圧領域が、１５〜３０ヘクトパスカルの着圧力であり、前記他の編成領域が、それより３〜７ヘクトパスカル低い着圧力であると、前記作用効果を奏させる実際の靴下として好ましい構成となる。【００１３】  本第２の発明にかかる靴下は、脚の長手方向において少なくとも足首部分からふくらはぎ部分にわたって外被するべく編糸で編成された靴下であって、  前記ふくらはぎ部分に当接する靴下の編成領域のうちの、当該ふくらはぎ部分の後部あるいは側部のうちの少なくともいずれかの部分を、外方から内方へ向けて押圧する着圧力が、前記ふくらはぎ部分から脚の前方部位へリング状に延びる他の編成領域に比べて大きくなった、高着圧領域で構成したことを特徴とする。【００１４】  前述のように構成された本第２の発明にかかる靴下によれば、当該靴下を履くと、ふくらはぎ部分の後部あるいは側部のうちの少なくともいずれかの部分が、高着圧領域によって外方から押圧されて、前記ふくらはぎ部分にある腓腹筋やひらめ筋が外方から押圧される。このため、歩行したときに屈伸する筋力が脚の長手方向に効果的に作用する。  つまり、筋力の作用する方向（伸縮方向）が分散することがない。このため、脚が軽くなったような感覚が従来のものに比べて増加するとともに筋力が有効に利用される。  しかも、脚部の前記高着圧領域で構成した部位以外は無用に押圧されないため、脚部の血行が阻害されることはない。この結果、本第２の発明にかかる靴下を長時間履いても、従来の靴下に比べて疲労が生じ難く且つ脚部に「むくみ」が生じ難い。また、前述のように一部が高着圧領域で形成されて、外方から押圧されているため、当該押圧されている方向と直交する方向から見ると外観的にスリムに見せることができる。このことは、脚の外観を重視する女性にとって、好ましい靴下となる。【００１５】  前記高着圧領域が、（ｉ）前記他の編成領域の度目より度目の大きさを小さくした当該高着圧領域、（ｉｉ）タック編みで編成された、当該高着圧領域、（ｉｉｉ）弾性糸が挿入された当該高着圧領域、のいずれか１によって又は２以上の組み合わせによって形成されることによって、実現できる。
【発明の効果】
【００１６】  本発明によると、ジョギングやハイキング等のように長い時間にわたって使用することができ、且つ使用すると脚が軽くなるような感覚を奏するような機能を備えた、靴下を提供することができる。
【図面の簡単な説明】
【００１７】
【図１】本発明の１つの実施形態にかかる靴下をやや斜め後方から見た全体斜視図である。
【図２】図１に示す靴下を後方から見た背面図である。
【図３】図１に示す靴下を側方から見た側面図である。
【図４】図１〜図３に示す靴下とは別の実施形態にかかる靴下を後方から見た背面図である。
【図５】図１〜図４に示す靴下とはさらに別の実施形態にかかる靴下を後方から見た背面図である。
【図６】図１〜図４に示す高着圧領域を備えた靴下を、筒編み機で編成するべく、当該筒編み機の高着圧力領域を形成しようとする部位の編針に、複数コースの編糸が給糸された状態を示す側面図である。
【図７】図１〜図４に示す高着圧領域を備えた靴下を、筒編み機で編成するべく、当該筒編み機の給糸口から複数の編糸が編針に給糸される状態を示す、当該給糸口近傍の平面図である。
【発明を実施するための形態】
【００１８】  以下、本発明の実施形態にかかる靴下を、図面を参照しながら具体的に説明する。
【００１９】  図１〜図３において、Ａは靴下で、この実施形態（第１の実施形態）にかかる靴下Ａは、脚の長手方向（図１〜図３の矢印Ｘ方向参照）において少なくとも足首部分からふくらはぎ部分にわたって外被するべく編糸で編成されている。  この第１の実施形態にかかる靴下Ａでは、図１に図示するように、足の先端（爪先）ｔ  から足首部分ｐ  を通ってひざ部分ｒ  のすぐ下方部位までを外被するべく編糸で編成されている。しかし、靴下の形態としては、足の部分の無い脚の部分のみ外被するべく編糸で編成されているような形態（サポータのような形態）の靴下であってもよい。  また、ストッキングのような上端が太股部分まで延設されているような形態のものであってもよい。
【００２０】  また、前記靴下Ａは、前記ふくらはぎ部分に当接する編成領域２０の少なくとも一部、例えば、この第１の実施形態では、当該ふくらはぎ部分の側方部位（側部）に当接する部分を、外方から内方へ向けて押圧する着圧力が、脚の前方部位へリング状に延びる他の編成領域（前記両側の部分２０ａ以外の領域）Ａ２に比べて大きくなった、高着圧領域（図１〜図３においてメッシュ状のハッチングを付した領域参照）Ａ１で、構成している。  つまり、「ふくらはぎ部分に当接する編成領域２０のうちの後端部位２０ｂを除くその両側の部分２０ａ」を、換言すれば、外側腓腹筋や内側腓腹筋およびその深層（内方）にあるひらめ筋がある部位に当接する部分を、高着圧領域Ａ１で構成している。  このため、靴下Ａが足に履かれる前の状態では、前記「ふくらはぎ部分に当接する編成領域２０のうちの後端部位２０ｂを除くその両側の部分２０ａ」は、長手方向においては、下端は、靴下Ａのかかとの底から約６〜１５ｃｍ程度の部位から形成されている。  同じく、上端は、かかとの底から約２１〜３０ｃｍ程度の部位まで形成されている。これらの数値は、靴下の伸縮性の程度やサイズによって変化する。  前記高着圧領域Ａ１が、前記ふくらはぎ部分を周方向（図１の矢印Ｒの方向参照）に通過する当該通過部分全体の約７０〜８０パーセントの領域を、占めている。  つまり、前記「前記ふくらはぎ部分を周方向（図１の矢印Ｒの方向参照）に通過する当該通過部分全体」は、寸法的に、靴下Ａが足に履かれる前の状態では、下端で約６〜１０ｃｍ程度、上端で約１５〜２０ｃｍ程度の範囲に形成されている。  これらの数値は、靴下の伸縮性の程度やサイズによって変化する。  また、前記伸縮性は、編成の種類（例えば、メリヤス編みやタック編み等）によって、また、編成する糸の種類等によって変化する。  ところで、前記高着圧領域Ａ１は、通過部分全体の約６０パーセント〜１００パーセントの領域を占めることが、特に通過部分全体の８０パーセント〜１００パーセントの領域を占めることが、本発明特有の作用効果を顕著にする上で好ましい。  この第１の実施形態にかかる靴下Ａの場合、前記ふくらはぎ部分の上端部に当接する編成領域２０が略１５〜２５ｃｍで同下端部が略１０〜２０ｃｍ程度の寸法になっている。  しかし、前記寸法は、靴下を履く人のサイズによって、適宜変更すればよい。なお、前記後端部位２０ｂの周方向の寸法は、靴下Ａが足に履かれる前の状態で約０．５ｃｍ〜１．５ｃｍに構成されるのが好ましい。  しかし、同様の作用効果がえられるのであれば、この寸法より大きく構成してもよい。
【００２１】  また、具体的な前記着圧力に関しては、例えば、前記高着圧領域Ａ１は１５〜３０ヘクトパスカル、それ以外、つまり、前記他の編成領域Ａ２である前記後端部位２０ｂやふくらはぎ部分の前方の部分２０ｃは、前記高着圧領域Ａ１より２〜７ヘクトパスカル（好ましくは３〜６ヘクトパスカル）程度低い着圧力となるよう構成されている。  つまり、前記他の編成領域Ａ２は、８〜２８ヘクトパスカル（好ましくは９〜２７ヘクトパスカル）程度の着圧力となるよう構成されている。しかし、前記高着圧領域Ａ１は１０〜３５ヘクトパスカルの着圧力となるよう、且つ、前記他の編成領域Ａ２である前記後端部位２０ｂや前記ふくらはぎ部分の前方の部分２０ｃは、前記高着圧領域Ａ１より２〜８ヘクトパスカル程度低い着圧力となるよう構成されていてもよい。この第１の実施形態では、前記高着圧領域Ａ１（両側の部分２０ａ）の着圧力は約１８ヘクトパスカル、前記他の編成領域Ａ２の着圧力は約１３ヘクトパスカルの押圧力となるよう構成されている。しかし、別の実施形態としては、高着圧領域Ａ１の着圧力は１５ヘクトパスカル、前記後端部位２０ｂ の着圧力は１２ヘクトパスカル、前記ふくらはぎ部分の前方の部分２０ｃ の着圧力は前記後端部位２０ｂ  より小さい１０ヘクトパスカルの押圧力となるように構成してもよい。  また、用途や需要者の好みによって、前記高着圧領域Ａ１、前記後端部位２０ｂおよび前記ふくらはぎ部分の前方の部分２０ｃのそれぞれの着圧力を、それぞれ（あるいはそれらの特定の部分の着圧力）を、前記値よりももう少し大きく（高く）してもよい。また、前記高着圧領域Ａ１（両側の部分２０ａ）について、図２に示す、内側の部分２０ａ１と外側の部分２０ａ２とで前記着圧力が異なるように構成してもよい。  例えば、両側の部分２０ａのうち内側の部分２０ａ１の着圧力が、外側の部分２０ａ２の着圧力より大きくなるように構成してもよい。  あるいは、両側の部分２０ａのうち外側の部分２０ａ２の着圧力が内側の部分２０ａ１の着圧力より大きくなるように構成してもよい。さらには、前記高着圧領域Ａ１（両側の部分２０ａ）について、その領域Ａ１の上下方向（脚の長手方向）において、各部位で、例えば上端部位と下端部位とで、あるいは上端部位、下端部位および中間部位で、着圧力がそれぞれ異なるように構成してもよい。  例えば、前記高着圧領域Ａ１（両側の部分２０ａ）において、その上端から下端にゆくほど着圧力が徐々に小さくなるように構成してもよい。  
【００２２】  この第１の実施形態にかかる靴下Ａの場合、図１あるいは図２に図示するように、前記高着圧領域Ａ１は、ふくらはぎ部分を周方向（リング状の方向）Ｒ（図１の矢印参照）に通過する当該ふくらはぎ部分に当接する編成領域２０のうちの後端部位２０ｂを除くその両側の部分２０ａ（２０ａ１，２０ａ２）に、形成されている。しかし、別の実施形態（第２の実施形態）としては、図４に図示するように、前記高着圧領域Ａ１は、ふくらはぎ部分を周方向に通過する当該ふくらはぎ部分に当接する編成領域２０の全ての部分に、形成されてもよい。  あるいは、ほぼ全てに形成されてもよい。さらに、別の実施形態（第３の実施形態）としては、図５に図示するように、脚のふくらはぎ部分を後方より押圧するように、高着圧領域Ａ１を、ふくらはぎ部分の後端部に当接する後端部２０ｂにのみ形成するように構成してもよい。なお、図５において、Ａ２は「他の編成領域」を、Ａは靴下を表す。
【００２３】  前述の「高着圧領域Ａ１」とそれより着圧力の小さい前記「他の編成領域Ａ２」を形成する手法としては、編成時の度目（編目長）を変化させる（大きく又は小さくする）ことによって、形成することができる。  具体的には、例えば、高着圧領域Ａ１は小さな度目で編成することによって、また前記他の編成領域Ａ２は前記高着圧領域Ａ１の度目より大きな度目で編成することによって形成することができる。また、別の手法によって形成することもできる。  つまり、高着圧領域Ａ１は、ゴム糸（又はポリウレタン等の弾性糸を芯糸としてポリエステル又はナイロン等を鞘糸としてカバーリングした糸、例えば所謂「SCY」,「DCY」）等を、編糸の編目の間に引っ張り勝手に挿入するか、又は、ゴム糸等を引っ張り勝手にして編糸とともに挿入する。  一方、高着圧領域以外の部分（前記他の編成領域Ａ２）では、前記ゴム糸（又は「SCY」,「DCY」）等を、あまり引っ張らず（ゴム糸等の張力を大きくせず）に挿入する。  あるいは、前記他の編成領域Ａ２には、ゴム糸（又は「SCY」,「DCY」）等を、挿入しない。あるいは、その他の公知のやり方で形成することもできる。  さらに、別の手法によって前述の「高着圧領域Ａ１」とそれより着圧力の小さい前記「他の編成領域Ａ２」を、形成することもできる。  つまり、前述の「高着圧領域Ａ１」をタック編みで編成、即ち、図６に図示するように、「高着圧領域Ａ１」においては、シリンダの２回転毎（２コース毎）又はそれ以上の回転毎（２以上のコース毎）に編み針を昇降させて、各周毎（各コース毎）に編針に供給される２本又はそれ以上の本数の編糸で編目を編成しても、当該高着圧領域Ａを形成することができる。  その場合、前記した「他の編成領域Ａ２」はシリンダ１回転毎（１コース毎）に編み針を昇降させればよい。  なお、図６において、符号「ａ」，「ｂ」，「ｃ」は各周（各コース）毎に供給された編糸を表し、符号「５」は編み針を、符号「６」はシンカーを表す。なお、前記筒編み機としては、電子的信号により各編針を昇降させることができる形式のものが用いられている。  また、多層編み（この実施形態では「三層編み」）の靴下を編成する際の編成手法を、前述の「高着圧領域Ａ１」の形成時におこなうことによって、「高着圧領域Ａ１」とそれより着圧力の小さい前記「他の編成領域Ａ２」を形成することができる。  つまり、前記「高着圧領域Ａ１」において、図７に図示するように、筒編機の一つの編糸供給口から表糸ａ１を、別の編糸供給口から裏糸ｂ１を、さらに別の編糸給口から内糸ｃ１を、それぞれ給糸することによって、着圧力が高くなった前記高着圧領域Ａを形成することができる。  その場合、前記着圧力の低い「他の編成領域Ａ２」では、前記表糸ａ１、裏糸ｂ１、内糸ｃ１のいずれか１本（あるいは２本）の編糸のみを供給して、着圧力の小さい領域を編成する。  なお、図７において、符号「Ｍ」は筒編み機を表し、符号「２ａ」，「２ｂ」，「２ｃ」は各編糸の給糸口を表し、符号「３」はシリンダを表し、符号「４」は給糸される編糸をガイドする箱を表し、符号「５」は編針を表し、符号「６」はシンカーを表し、また矢印「Ｒｒ」はシリンダ３の回転方向を表す。
【００２４】  そして、前述の「高着圧領域Ａ１」を形成する前記各手法の二つあるいは３つの手法を適宜選択して組み合わせ又は全ての手法を組み合わせることによっても、前述の「高着圧領域Ａ１」とそれより着圧力の小さい前記「他の編成領域Ａ２」を形成することができる。  例えば、前記高着圧領域Ａ１を、タック編みで形成するとともに、当該高着圧領域Ａ１を前記「他の編成領域Ａ２」に比べて度目を小さくし、あるいは、当該高着圧領域Ａ１を、ゴム糸（又はポリウレタン等の弾性糸を芯糸としてポリエステル又はナイロン等を鞘糸としてカバーリングした糸、例えば所謂「SCY」,「DCY」）等を、編糸の編目の間に引っ張り勝手に挿入すること等によっても、形成することができる。  このように前記各手法のうちの一つの手法又は二つ以上の手法の組み合わせによる編成は、必要とする着圧力あるいは機能又は用途等に応じて、おこなうことができる。  なお、前記「SCY」とは「Single Covered Yarn」の略語で、前記「DCY」とは「Double Covered」の略語である。
【００２５】  ところで、前述の構成を有する靴下は、前記した実施形態の場合、一般の靴下と同様に、筒編み機（丸編み機）を用いて、編成することができる。 しかし、それ以外の形態の靴下編み機（例えば、横編み機）や、手編みによっても編成することができる。
【００２６】  しかして、前述のように構成された本発明の実施形態にかかる靴下の場合、前述のように構成されることによって、以下のような作用効果を奏することができる。  すなわち、本各実施形態にかかる靴下を履くと、ふくらはぎ部分に当接する領域のうちで高着圧領域Ａ１で形成されている部分では、外方から内方へ向けて又他の編成領域Ａ２の部分に比べて大きな着圧力が作用して、靴下を履いている間、腓腹筋やひらめ筋を外方から押圧するため、歩行したときに屈伸する筋力が脚の長手方向に効果的に作用する。  この結果、疲れ難く、脚が軽くなったような感覚を覚える。前記高着圧領域Ａ１以外の部分、つまり前記他の編成領域Ａ２では、脚部は外方から大きな着圧力で押圧されないため、血行が無用に阻害されることがない。このため、長時間にわたって靴下Ａを履いても、疲労が生じ難く且つ下脚部に「むくみ」が格段に生じ難くなる。また、本発明にかかる靴下Ａを履いている状態では、前述のようにふくらはぎ部分の少なくとも一部が高着圧領域Ａ１によって外方から押圧されているため、当該押圧されている方向と直交する方向（側方）から見ると外観的に脚をスリムに見せることができる。
【００２７】  なお、前記実施形態は単なる１つの実施形態であって本発明の技術的思想を逸脱しない範囲で、種々の形態で実施できることは言うまでもない。
【産業上の利用可能性】
【００２８】  本発明にかかる靴下は、靴下の産業分野において利用することができる。
【符号の説明】
【００２９】Ａ …靴下Ａ１…高着圧領域Ａ２…他の編成領域２０…ふくらはぎ部分に当接する編成領域
【図１】
2017115796.tif 000003
【図２】
2017115796.tif 000004
【図３】
2017115796.tif 000005
【図４】
2017115796.tif 000006
【図５】
2017115796.tif 000007
【図６】
2017115796.tif 000008
【図７】
2017115796.tif 000009
【手続補正書】
【提出日】平成29年6月30日(2017.6.30)
【手続補正１】
【補正対象書類名】特許請求の範囲
【補正対象項目名】全文
【補正方法】変更
【補正の内容】
【特許請求の範囲】
【請求項１】
脚の長手方向において少なくとも足首部分からふくらはぎ部分に掛けて、脚の周方向の全域を外被するべく、編糸で編成された靴下であって、
ふくらはぎ部分に当接する編成領域に、高着圧領域を備え、
前記高着圧領域は、脚の長手方向を長手とする領域であり、脚の周方向についてふくらはぎ部分に当接する編成領域の、一部又は全部を構成し、
前記高着圧領域は、脚の周方向について当該高着圧領域よりも前方へリング状に延びる他の編成領域に比べ、脚の外方から内方へ向けて押圧する着圧力の大きな領域であり、
前記高着圧領域は、前記他の編成領域に比べて度目の小さな領域であり且つ前記他の編成領域にはないタック編みの編成を備えた領域であることを特徴とする靴下。
【請求項２】
前記高着圧領域が、ふくらはぎ部分の脚の周方向における後端部位へ、当接する部分を備えた請求項１記載の靴下。
【請求項３】
前記高着圧領域が、脚の周方向について、ふくらはぎ部分に当接する編成領域の６０パーセント〜１００パーセントの領域を占めていることを特徴とする請求項１記載の靴下。
【請求項４】
前記高着圧領域が、１５ヘクトパスカル〜３０ヘクトパスカルの着圧力であり、他の編成領域が、３ヘクトパスカル〜７ヘクトパスカル低い着圧力であることを特徴とする請求項１〜請求項３のいずれか１の項に記載の靴下。
【請求項５】
筒編み機を用いて、脚の長手方向において少なくとも足首部分からふくらはぎ部分に掛けて、脚の周方向の全域を外被するべく、編糸で靴下を編成する靴下の製造方法において、
ふくらはぎ部分に当接する編成領域に、高着圧領域を形成するものであり、
前記高着圧領域は、脚の長手方向を長手とする領域であり、脚の周方向についてふくらはぎ部分に当接する編成領域の、一部又は全部を構成するものとし、
前記高着圧領域を脚の周方向について当該高着圧領域よりも前方へリング状に延びる他の編成領域に比べ、脚の外方から内方へ向けて押圧する着圧力の大きな領域とするものであり、
前記高着圧領域を、前記他の編成領域に比べて度目の小さな領域とし且つ前記他の編成領域にはないタック編みの編成を備えた領域とする靴下の製造方法。
【請求項６】
前記高着圧領域には、２コース以上毎に編み針を昇降させて、各コース毎に編針へ供給される２本以上の本数の編糸で編成した編目を設けておき、
前記他の編成領域の全域は、１コース毎に編み針を昇降させて形成することを特徴とする請求項５記載の靴下の製造方法。
【手続補正２】
【補正対象書類名】明細書
【補正対象項目名】全文
【補正方法】変更
【補正の内容】
【発明の詳細な説明】
【技術分野】
【０００１】
この発明は、靴下及びその製造方法に関し、詳しくは、靴下の脚部のふくらはぎ部分にのみ着圧領域を形成した靴下に関する。なお、この明細書および特許請求の範囲において「靴下」という文言は、ソックス及びストッキングやそれらの足部の無いサポータ状の形態のものも含む広い概念で使用する。
【背景技術】
【０００２】
従来から、下脚部（ふくらはぎ部分及びその前方部）に着圧領域を形成した靴下が提供されている（特許文献１参照）。
また、下脚部に高締付力を有する帯状のリング状部分と低締付力を有する帯状のリング状部分とを交互に上下方向に配列して、運動の際にふくらはぎ部分の筋肉が変形することを利用して前記靴下の構成に起因する機能によって、脚部の血液の循環を促進しようとする、靴下が提供されている（特許文献２参照）。
【０００３】
従来の、ふくらはぎ部分に特徴を有する靴下にかかる先行技術として、特許文献１および特許文献２に記載されているものがある。
【先行技術文献】
【特許文献】
【０００４】
【特許文献１】特開平１１−７０１４０号公報
【特許文献２】特開平１１−１３１３０３号公報
【発明の概要】
【発明が解決しようとする課題】
【０００５】
ところが、前記特許文献１および特許文献２に記載するような構成の靴下、つまり下脚部に当該脚部を周回するようにリング状に着圧領域を形成した靴下の場合、所定時間内で使用する場合には、脚が軽くなったような感覚を奏するが、長時間使用すると、下脚部の血行を阻害して、疲労を惹起したり、当該下脚部に「むくみ」を生じさせたりする。
このため、ジョギングやハイキング等のように長い時間にわたって使用する靴下としては、不都合なものであった。
【０００６】
本発明は、このような状況に鑑みておこなわれたもので、ジョギングやハイキング等のように長い時間にわたって使用することができ、且つ脚が軽くなるような感覚を奏するような機能を備えた靴下を提供することを目的とする。
【課題を解決するための手段】
【０００７】
本第１の発明にかかる靴下は、脚の長手方向において少なくとも足首部分からふくらはぎ部分にわたって外被するべく、編糸で編成された靴下であって、前記ふくらはぎ部分に当接する編成領域の少なくとも一部を、外方から内方へ向けて押圧する着圧力が前記ふくらはぎ部分から脚の前方部位へリング状に延びる他の編成領域に比べて大きくなった、高着圧領域で構成したことを特徴とする。
なお、この明細書および特許請求の範囲において、「高着圧領域」とは、当該「高着圧領域」以外の領域（前記「その他の編成領域」）に比べて着圧力が相対的に大きいという意味で両者を区別するために使用しており、必ずしも着圧力の絶対値が高い領域という意味で使用しているものではない。
【０００８】
前述のように構成された本第１の発明にかかる靴下によれば、当該靴下を履くと、ふくらはぎ部分の少なくとも一部が外方から内方へ向けて高着圧領域によって押圧されて、前記ふくらはぎ部分にある腓腹筋やひらめ筋が外方から押圧される。このため、歩行したときに屈伸する筋力が脚の長手方向に効果的に作用する。  つまり、筋力の作用する方向（収縮方向）が分散することがない。  このため、疲労が少なくなり、脚が軽くなったような感覚が従来のものに比べて増加するとともに筋力が有効に利用される。
しかも、脚部の前記高着圧領域で構成した部位以外は無用に押圧されないため、脚部の血行が阻害されることはない。この結果、本第１の発明にかかる靴下を長時間履いても、前記特許文献１，２に記載の従来の靴下に比べて疲労が生じ難く且つ脚部に「むくみ」が格段に生じ難い。
また、前述のようにふくらはぎ部分の少なくとも一部が高着圧領域で形成されて、外方から押圧されているため、当該押圧されている方向と直交する方向から見ると外観的にスリムに見せることができる。  このことは、脚の外観を重視する女性にとって、好ましい。
【０００９】
前記靴下において、前記高着圧領域が、ふくらはぎ部分を周方向に通過する当該ふくらはぎ部分に当接する編成領域のうちの後端部位を除くその両側の部分であると、ふくらはぎ部分の前記後端部位においても血行が阻害されることがない。  このため、さらに疲労を生じ難くなり、且つ、脚部に「むくみ」がさらに生じ難い、靴下を実現することができる。  このような構成において、脚のふくらはぎ部分の内側の高着圧領域の着圧力と同じく外側の高着圧領域の着圧力に差を設けることによって、運動の種類に「より合致した」構成の靴下を提供することができる。
また、このように構成すると、ふくらはぎ部分の側部を高着圧領域で外方（側方）から押圧されているため、脚部を前方又は後方から見ると、スリムに見せることができる靴下となる。
【００１０】
前記靴下において、前記高着圧領域が、ふくらはぎ部分を周方向に通過する当該ふくらはぎ部分の後端部位に当接する部分であると、当該後端部位以外の部位において血行が阻害されることがないため、さらに疲労の生じ難い且つ下脚部に「むくみ」が生じ難い靴下を実現することができる。
また、このように構成すると、ふくらはぎ部分の後端部位を高着圧領域で外方（側方）から押圧されているため、脚部を側方から見ると、外観的にスリムに見せることができる。
【００１１】
前記靴下において、前記高着圧領域が、前記ふくらはぎ部分を周方向に通過する当該通過部分全体の６０パーセント〜１００パーセントの領域を占めているものであると、前記作用効果がより顕著に得られる靴下となる。  しかも、前記高着圧領域以外では血行が阻害されることがないため、従来の靴下に比べると疲労が生じ難い且つむくみが生じ難い靴下となる。
【００１２】
前記靴下において、前記高着圧領域が、１５〜３０ヘクトパスカルの着圧力であり、
前記他の編成領域が、それより３〜７ヘクトパスカル低い着圧力であると、前記作用効果を奏させる実際の靴下として好ましい構成となる。
【００１３】
本第２の発明にかかる靴下は、脚の長手方向において少なくとも足首部分からふくらはぎ部分にわたって外被するべく編糸で編成された靴下であって、
前記ふくらはぎ部分に当接する靴下の編成領域のうちの、当該ふくらはぎ部分の後部あるいは側部のうちの少なくともいずれかの部分を、外方から内方へ向けて押圧する着圧力が、前記ふくらはぎ部分から脚の前方部位へリング状に延びる他の編成領域に比べて大きくなった、高着圧領域で構成したことを特徴とする。
【００１４】
前述のように構成された本第２の発明にかかる靴下によれば、当該靴下を履くと、ふくらはぎ部分の後部あるいは側部のうちの少なくともいずれかの部分が、高着圧領域によって外方から押圧されて、前記ふくらはぎ部分にある腓腹筋やひらめ筋が外方から押圧される。このため、歩行したときに屈伸する筋力が脚の長手方向に効果的に作用する。  つまり、筋力の作用する方向（伸縮方向）が分散することがない。このため、脚が軽くなったような感覚が従来のものに比べて増加するとともに筋力が有効に利用される。  しかも、脚部の前記高着圧領域で構成した部位以外は無用に押圧されないため、脚部の血行が阻害されることはない。この結果、本第２の発明にかかる靴下を長時間履いても、従来の靴下に比べて疲労が生じ難く且つ脚部に「むくみ」が生じ難い。
また、前述のように一部が高着圧領域で形成されて、外方から押圧されているため、当該押圧されている方向と直交する方向から見ると外観的にスリムに見せることができる。このことは、脚の外観を重視する女性にとって、好ましい靴下となる。
【００１５】
前記高着圧領域が、
（ｉ）前記他の編成領域の度目より度目の大きさを小さくした当該高着圧領域、
（ｉｉ）タック編みで編成された、当該高着圧領域、
（ｉｉｉ）弾性糸が挿入された当該高着圧領域、
のいずれか１によって又は２以上の組み合わせによって形成されることによって、実現できる。
【発明の効果】
【００１６】
本発明によると、ジョギングやハイキング等のように長い時間にわたって使用することができ、且つ使用すると脚が軽くなるような感覚を奏するような機能を備えた、靴下を提供することができる。
【図面の簡単な説明】
【００１７】
【図１】本発明の１つの実施形態にかかる靴下をやや斜め後方から見た全体斜視図である。
【図２】図１に示す靴下を後方から見た背面図である。
【図３】図１に示す靴下を側方から見た側面図である。
【図４】図１〜図３に示す靴下とは別の実施形態にかかる靴下を後方から見た背面図である。
【図５】図１〜図４に示す靴下とはさらに別の実施形態にかかる靴下を後方から見た背面図である。
【図６】図１〜図４に示す高着圧領域を備えた靴下を、筒編み機で編成するべく、当該筒編み機の高着圧力領域を形成しようとする部位の編針に、複数コースの編糸が給糸された状態を示す側面図である。
【図７】図１〜図４に示す高着圧領域を備えた靴下を、筒編み機で編成するべく、当該筒編み機の給糸口から複数の編糸が編針に給糸される状態を示す、当該給糸口近傍の平面図である。
【発明を実施するための形態】
【００１８】
以下、本発明の実施形態にかかる靴下を、図面を参照しながら具体的に説明する。
【００１９】
図１〜図３において、Ａは靴下で、この実施形態（第１の実施形態）にかかる靴下Ａは、脚の長手方向（図１〜図３の矢印Ｘ方向参照）において少なくとも足首部分からふくらはぎ部分にわたって外被するべく編糸で編成されている。  この第１の実施形態にかかる靴下Ａでは、図１に図示するように、足の先端（爪先）ｔ  から足首部分ｐ  を通ってひざ部分ｒ  のすぐ下方部位までを外被するべく編糸で編成されている。
しかし、靴下の形態としては、足の部分の無い脚の部分のみ外被するべく編糸で編成されているような形態（サポータのような形態）の靴下であってもよい。  また、ストッキングのような上端が太股部分まで延設されているような形態のものであってもよい。
【００２０】
また、前記靴下Ａは、前記ふくらはぎ部分に当接する編成領域２０の少なくとも一部、例えば、この第１の実施形態では、当該ふくらはぎ部分の側方部位（側部）に当接する部分を、外方から内方へ向けて押圧する着圧力が、脚の前方部位へリング状に延びる他の編成領域（前記両側の部分２０ａ以外の領域）Ａ２に比べて大きくなった、高着圧領域（図１〜図３においてメッシュ状のハッチングを付した領域参照）Ａ１で、構成している。  つまり、「ふくらはぎ部分に当接する編成領域２０のうちの後端部位２０ｂを除くその両側の部分２０ａ」を、換言すれば、外側腓腹筋や内側腓腹筋およびその深層（内方）にあるひらめ筋がある部位に当接する部分を、高着圧領域Ａ１で構成している。
このため、靴下Ａが足に履かれる前の状態では、前記「ふくらはぎ部分に当接する編成領域２０のうちの後端部位２０ｂを除くその両側の部分２０ａ」は、長手方向においては、下端は、靴下Ａのかかとの底から約６〜１５ｃｍ程度の部位から形成されている。  同じく、上端は、かかとの底から約２１〜３０ｃｍ程度の部位まで形成されている。これらの数値は、靴下の伸縮性の程度やサイズによって変化する。
前記高着圧領域Ａ１が、前記ふくらはぎ部分を周方向（図１の矢印Ｒの方向参照）に通過する当該通過部分全体の約７０〜８０パーセントの領域を、占めている。  つまり、前記「前記ふくらはぎ部分を周方向（図１の矢印Ｒの方向参照）に通過する当該通過部分全体」は、寸法的に、靴下Ａが足に履かれる前の状態では、下端で約６〜１０ｃｍ程度、上端で約１５〜２０ｃｍ程度の範囲に形成されている。  これらの数値は、靴下の伸縮性の程度やサイズによって変化する。
また、前記伸縮性は、編成の種類（例えば、メリヤス編みやタック編み等）によって、また、編成する糸の種類等によって変化する。
ところで、前記高着圧領域Ａ１は、通過部分全体の約６０パーセント〜１００パーセントの領域を占めることが、特に通過部分全体の８０パーセント〜１００パーセントの領域を占めることが、本発明特有の作用効果を顕著にする上で好ましい。  この第１の実施形態にかかる靴下Ａの場合、前記ふくらはぎ部分の上端部に当接する編成領域２０が略１５〜２５ｃｍで同下端部が略１０〜２０ｃｍ程度の寸法になっている。
しかし、前記寸法は、靴下を履く人のサイズによって、適宜変更すればよい。
なお、前記後端部位２０ｂの周方向の寸法は、靴下Ａが足に履かれる前の状態で約０．５ｃｍ〜１．５ｃｍに構成されるのが好ましい。  しかし、同様の作用効果がえられるのであれば、この寸法より大きく構成してもよい。
【００２１】
また、具体的な前記着圧力に関しては、例えば、前記高着圧領域Ａ１は１５〜３０ヘクトパスカル、それ以外、つまり、前記他の編成領域Ａ２である前記後端部位２０ｂやふくらはぎ部分の前方の部分２０ｃは、前記高着圧領域Ａ１より２〜７ヘクトパスカル（好ましくは３〜６ヘクトパスカル）程度低い着圧力となるよう構成されている。  つまり、前記他の編成領域Ａ２は、８〜２８ヘクトパスカル（好ましくは９〜２７ヘクトパスカル）程度の着圧力となるよう構成されている。
しかし、前記高着圧領域Ａ１は１０〜３５ヘクトパスカルの着圧力となるよう、且つ、前記他の編成領域Ａ２である前記後端部位２０ｂや前記ふくらはぎ部分の前方の部分２０ｃは、前記高着圧領域Ａ１より２〜８ヘクトパスカル程度低い着圧力となるよう構成されていてもよい。
この第１の実施形態では、前記高着圧領域Ａ１（両側の部分２０ａ）の着圧力は約１８ヘクトパスカル、前記他の編成領域Ａ２の着圧力は約１３ヘクトパスカルの押圧力となるよう構成されている。
しかし、別の実施形態としては、高着圧領域Ａ１の着圧力は１５ヘクトパスカル、前記後端部位２０ｂ の着圧力は１２ヘクトパスカル、前記ふくらはぎ部分の前方の部分２０ｃ の着圧力は前記後端部位２０ｂ  より小さい１０ヘクトパスカルの押圧力となるように構成してもよい。  また、用途や需要者の好みによって、前記高着圧領域Ａ１、前記後端部位２０ｂおよび前記ふくらはぎ部分の前方の部分２０ｃのそれぞれの着圧力を、それぞれ（あるいはそれらの特定の部分の着圧力）を、前記値よりももう少し大きく（高く）してもよい。
また、前記高着圧領域Ａ１（両側の部分２０ａ）について、図２に示す、内側の部分２０ａ１と外側の部分２０ａ２とで前記着圧力が異なるように構成してもよい。  例えば、両側の部分２０ａのうち内側の部分２０ａ１の着圧力が、外側の部分２０ａ２の着圧力より大きくなるように構成してもよい。  あるいは、両側の部分２０ａのうち外側の部分２０ａ２の着圧力が内側の部分２０ａ１の着圧力より大きくなるように構成してもよい。
さらには、前記高着圧領域Ａ１（両側の部分２０ａ）について、その領域Ａ１の上下方向（脚の長手方向）において、各部位で、例えば上端部位と下端部位とで、あるいは上端部位、下端部位および中間部位で、着圧力がそれぞれ異なるように構成してもよい。  例えば、前記高着圧領域Ａ１（両側の部分２０ａ）において、その上端から下端にゆくほど着圧力が徐々に小さくなるように構成してもよい。  
【００２２】
この第１の実施形態にかかる靴下Ａの場合、図１あるいは図２に図示するように、前記高着圧領域Ａ１は、ふくらはぎ部分を周方向（リング状の方向）Ｒ（図１の矢印参照）に通過する当該ふくらはぎ部分に当接する編成領域２０のうちの後端部位２０ｂを除くその両側の部分２０ａ（２０ａ１，２０ａ２）に、形成されている。
しかし、別の実施形態（第２の実施形態）としては、図４に図示するように、前記高着圧領域Ａ１は、ふくらはぎ部分を周方向に通過する当該ふくらはぎ部分に当接する編成領域２０の全ての部分に、形成されてもよい。  あるいは、ほぼ全てに形成されてもよい。
さらに、別の実施形態（第３の実施形態）としては、図５に図示するように、脚のふくらはぎ部分を後方より押圧するように、高着圧領域Ａ１を、ふくらはぎ部分の後端部に当接する後端部２０ｂにのみ形成するように構成してもよい。なお、図５において、Ａ２は「他の編成領域」を、Ａは靴下を表す。
【００２３】
前述の「高着圧領域Ａ１」とそれより着圧力の小さい前記「他の編成領域Ａ２」を形成する手法としては、編成時の度目（編目長）を変化させる（大きく又は小さくする）ことによって、形成することができる。  具体的には、例えば、高着圧領域Ａ１は小さな度目で編成することによって、また前記他の編成領域Ａ２は前記高着圧領域Ａ１の度目より大きな度目で編成することによって形成することができる。
また、別の手法によって形成することもできる。  つまり、高着圧領域Ａ１は、ゴム糸（又はポリウレタン等の弾性糸を芯糸としてポリエステル又はナイロン等を鞘糸としてカバーリングした糸、例えば所謂「SCY」,「DCY」）等を、編糸の編目の間に引っ張り勝手に挿入するか、又は、ゴム糸等を引っ張り勝手にして編糸とともに挿入する。  一方、高着圧領域以外の部分（前記他の編成領域Ａ２）では、前記ゴム糸（又は「SCY」,「DCY」）等を、あまり引っ張らず（ゴム糸等の張力を大きくせず）に挿入する。  あるいは、前記他の編成領域Ａ２には、ゴム糸（又は「SCY」,「DCY」）等を、挿入しない。
あるいは、その他の公知のやり方で形成することもできる。
さらに、別の手法によって前述の「高着圧領域Ａ１」とそれより着圧力の小さい前記「他の編成領域Ａ２」を、形成することもできる。  つまり、前述の「高着圧領域Ａ１」をタック編みで編成、即ち、図６に図示するように、「高着圧領域Ａ１」においては、シリンダの２回転毎（２コース毎）又はそれ以上の回転毎（２以上のコース毎）に編み針を昇降させて、各周毎（各コース毎）に編針に供給される２本又はそれ以上の本数の編糸で編目を編成しても、当該高着圧領域Ａを形成することができる。  その場合、前記した「他の編成領域Ａ２」はシリンダ１回転毎（１コース毎）に編み針を昇降させればよい。  なお、図６において、符号「ａ」，「ｂ」，「ｃ」は各周（各コース）毎に供給された編糸を表し、符号「５」は編み針を、符号「６」はシンカーを表す。なお、前記筒編み機としては、電子的信号により各編針を昇降させることができる形式のものが用いられている。
また、多層編み（この実施形態では「三層編み」）の靴下を編成する際の編成手法を、前述の「高着圧領域Ａ１」の形成時におこなうことによって、「高着圧領域Ａ１」とそれより着圧力の小さい前記「他の編成領域Ａ２」を形成することができる。つまり、前記「高着圧領域Ａ１」において、図７に図示するように、筒編機の一つの編糸供給口から表糸ａ１を、別の編糸供給口から裏糸ｂ１を、さらに別の編糸給口から内糸ｃ１を、それぞれ給糸することによって、着圧力が高くなった前記高着圧領域Ａ１を形成することができる。その場合、前記着圧力の低い「他の編成領域Ａ２」では、前記表糸ａ１、裏糸ｂ１、内糸ｃ１のいずれか１本（あるいは２本）の編糸のみを供給して、着圧力の小さい領域を編成する。  なお、図７において、符号「Ｍ」は筒編み機を表し、符号「２ａ」，「２ｂ」，「２ｃ」は各編糸の給糸口を表し、符号「３」はシリンダを表し、符号「４」は給糸される編糸をガイドする箱を表し、符号「５」は編針を表し、符号「６」はシンカーを表し、また矢印「Ｒｒ」はシリンダ３の回転方向を表す。
【００２４】
そして、前述の「高着圧領域Ａ１」を形成する前記各手法の二つあるいは３つの手法を適宜選択して組み合わせ又は全ての手法を組み合わせることによっても、前述の「高着圧領域Ａ１」とそれより着圧力の小さい前記「他の編成領域Ａ２」を形成することができる。  例えば、前記高着圧領域Ａ１を、タック編みで形成するとともに、当該高着圧領域Ａ１を前記「他の編成領域Ａ２」に比べて度目を小さくし、あるいは、当該高着圧領域Ａ１を、ゴム糸（又はポリウレタン等の弾性糸を芯糸としてポリエステル又はナイロン等を鞘糸としてカバーリングした糸、例えば所謂「SCY」,「DCY」）等を、編糸の編目の間に引っ張り勝手に挿入すること等によっても、形成することができる。このように前記各手法のうちの一つの手法又は二つ以上の手法の組み合わせによる編成は、必要とする着圧力あるいは機能又は用途等に応じて、おこなうことができる。  なお、前記「SCY」とは「Single Covered Yarn」の略語で、前記「DCY」とは「Double Covered」の略語である。
【００２５】
ところで、前述の構成を有する靴下は、前記した実施形態の場合、一般の靴下と同様に、筒編み機（丸編み機）を用いて、編成することができる。 しかし、それ以外の形態の靴下編み機（例えば、横編み機）や、手編みによっても編成することができる。
【００２６】
しかして、前述のように構成された本発明の実施形態にかかる靴下の場合、前述のように構成されることによって、以下のような作用効果を奏することができる。
すなわち、本各実施形態にかかる靴下を履くと、ふくらはぎ部分に当接する領域のうちで高着圧領域Ａ１で形成されている部分では、外方から内方へ向けて又他の編成領域Ａ２の部分に比べて大きな着圧力が作用して、靴下を履いている間、腓腹筋やひらめ筋を外方から押圧するため、歩行したときに屈伸する筋力が脚の長手方向に効果的に作用する。  この結果、疲れ難く、脚が軽くなったような感覚を覚える。
前記高着圧領域Ａ１以外の部分、つまり前記他の編成領域Ａ２では、脚部は外方から大きな着圧力で押圧されないため、血行が無用に阻害されることがない。
このため、長時間にわたって靴下Ａを履いても、疲労が生じ難く且つ下脚部に「むくみ」が格段に生じ難くなる。
また、本発明にかかる靴下Ａを履いている状態では、前述のようにふくらはぎ部分の少なくとも一部が高着圧領域Ａ１によって外方から押圧されているため、当該押圧されている方向と直交する方向（側方）から見ると外観的に脚をスリムに見せることができる。
【００２７】
なお、前記実施形態は単なる１つの実施形態であって本発明の技術的思想を逸脱しない範囲で、種々の形態で実施できることは言うまでもない。
【産業上の利用可能性】
【００２８】
本発明にかかる靴下は、靴下の産業分野において利用することができる。
【符号の説明】
【００２９】
Ａ …靴下
Ａ１…高着圧領域
Ａ２…他の編成領域
２０…ふくらはぎ部分に当接する編成領域
【手続補正書】
【提出日】平成29年9月25日(2017.9.25)
【手続補正１】
【補正対象書類名】特許請求の範囲
【補正対象項目名】全文
【補正方法】変更
【補正の内容】
【特許請求の範囲】
【請求項１】
脚の長手方向において少なくとも足首部分からふくらはぎ部分に掛けて、脚の周方向の全域を外被するべく、編糸で編成された靴下であって、
ふくらはぎ部分に当接する編成領域に、高着圧領域を備え、
前記高着圧領域は、脚の長手方向を長手とする領域であり、脚の周方向についてふくらはぎ部分に当接する編成領域の、一部又は全部を構成し、
前記高着圧領域は、脚の周方向について当該高着圧領域よりも前方へリング状に延びる他の編成領域に比べ、脚の外方から内方へ向けて押圧する着圧力の大きな領域であり、
前記高着圧領域は、前記他の編成領域に比べて度目の小さな領域であり且つ前記他の編成領域にはないタック編みの編成を備えた領域であり、
前記高着圧領域が、ふくらはぎ部分の脚の周方向における後端部位へ、当接する部分を備え、
前記高着圧領域が、脚の周方向について、ふくらはぎ部分に当接する編成領域の６０パーセント〜１００パーセントの領域を占め、
前記高着圧領域が、１５ヘクトパスカル〜３０ヘクトパスカルの着圧力であり、他の編成領域が、３ヘクトパスカル〜７ヘクトパスカル低い着圧力であり、
靴下着用前の状態において、前記高着圧領域の下端を靴下のかかとの底から６〜１５ｃｍとし前記高着圧領域の上端を靴下のかかとの底から２１〜３０ｃｍとすることを特徴とする靴下。
【請求項２】
前記高着圧領域には、弾性糸が挿入されていることを特徴とする請求項１記載の靴下。
【請求項３】
前記高着圧領域には、前記弾性糸を芯糸として鞘糸でカバーリングした糸が挿入されていることを特徴とする請求項２に記載の靴下。
【請求項４】
前記カバーリングした糸は、ＤＣＹであることを特徴とする請求項３記載の靴下。
【請求項５】
筒編み機を用いて、脚の長手方向において少なくとも足首部分からふくらはぎ部分に掛けて、脚の周方向の全域を外被するべく、編糸で靴下を編成する靴下の製造方法において、
ふくらはぎ部分に当接する編成領域に、高着圧領域を形成するものであり、
前記高着圧領域は、脚の長手方向を長手とする領域であり、脚の周方向についてふくらはぎ部分に当接する編成領域の、一部又は全部を構成するものとし、
前記高着圧領域を脚の周方向について当該高着圧領域よりも前方へリング状に延びる他の編成領域に比べ、脚の外方から内方へ向けて押圧する着圧力の大きな領域とするものであり、
前記高着圧領域を、前記他の編成領域に比べて度目の小さな領域とし且つ前記他の編成領域にはないタック編みの編成を備えた領域とし、
前記高着圧領域は、ふくらはぎ部分の脚の周方向における後端部位へ、当接する部分を備えるものとし、
前記高着圧領域は、脚の周方向について、ふくらはぎ部分に当接する編成領域の６０パーセント〜１００パーセントの領域を占めるものとし、
前記高着圧領域を、１５ヘクトパスカル〜３０ヘクトパスカルの着圧力とし、他の編成領域を、３ヘクトパスカル〜７ヘクトパスカル低い着圧力とし、
靴下着用前の状態において、前記高着圧領域の下端を靴下のかかとの底から６〜１５ｃｍとし前記高着圧領域の上端を靴下のかかとの底から２１〜３０ｃｍとする靴下の製造方法。
【請求項６】
前記高着圧領域には、２コース以上毎に編み針を昇降させて、各コース毎に編針へ供給される２本以上の本数の編糸で編成した編目を設けておき、
前記他の編成領域の全域は、１コース毎に編み針を昇降させて形成することを特徴とする請求項５記載の靴下の製造方法。
【国際調査報告】
2017115796.tif 000010
2017115796.tif 000011
2017115796.tif 000012
2017115796.tif 000013